(57)【要約】【課題】一般ユーザが、コンセント装置のプラグ差込口に機器プラグを過電流を気にすることなく差し込みすることができる一方、コンセント装置の過電流状態を確実に防止すること。【解決手段】各プラグ差込口７ａ−７ｃに差し込んだプラグ１ａ−１ｃに内蔵の無線タグ９ａ−９ｃと通信して各無線タグが記憶するデータの読み取りが可能なタグリーダー１１ａ−１１ｃと、これらタグリーダーの出力から過電流を演算し、その演算から上記プラグへの電源供給路を制御する信号を出力するプログラマブルコントローラ部１５ａと、プログラマブルコントローラ部１５ａからの制御出力により上記プラグ１ａ−１ｃへの電源供給またはその供給の遮断を行う電源供給遮断部１５ｂとを備える。【選択図】図３
2011009046.tif 000002
【特許請求の範囲】
【請求項１】
複数のプラグ差込口を備えたコンセント装置であって、
各プラグ差込口に差し込んだプラグに内蔵の無線タグと通信して各無線タグが記憶するデータの読み取りが可能なタグリーダーと、
これらタグリーダーの出力から過電流を演算し、その演算から上記プラグへの電源供給路を制御する信号を出力するプログラマブルコントローラ部と、
上記プログラマブルコントローラ部からの制御出力により上記プラグへの電源供給またはその供給の遮断を行う電源供給遮断部と、
を備えたコンセント装置。
【請求項２】
上記プログラマブルコントローラ部は、プラグ差込口にプラグが差し込まれていないときは、当該プラグへの電源供給を遮断状態とするよう電源供給遮断部を制御する、ことを特徴とする請求項１に記載のコンセント装置。
【請求項３】
上記各プラグ差込口への電源供給状態を表示する表示部を備え、上記制御部は、プラグへの電源供給路の状態が遮断側および供給側のいずれの側にあるかを上記表示部に表示させる制御を行うようになっている、ことを特徴とする請求項１または２に記載のコンセント装置。
【発明の詳細な説明】
【技術分野】
【０００１】
本発明は、複数のプラグ差込口を備えたコンセント装置において、過電流防止機能を設けることに関するものである。
【背景技術】
【０００２】
複数のプラグ差込口を備えたコンセント装置では、例えばすべてのプラグ差込口にプラグを差し込んだ場合、そのプラグに接続される電気機器によっては、当該コンセント装置には定格超過の過電流が流れる状態となる。このような状態はいわゆるたこ足配線として好ましくないと、いわれている。
【先行技術文献】
【特許文献】
【０００３】
【特許文献１】特開２００６−１３９９２９号公報
【特許文献２】特開２００６−１４９０７５号公報
【発明の概要】
【発明が解決しようとする課題】
【０００４】
しかしながら、一般ユーザにとり、コンセント装置において未差込みのプラグ差込口にプラグを差し込んだ場合、過電流状態となるかどうかを、コンセント装置の定格と、各プラグ接続の電気機器への供給電流とから演算することは容易なことではない。また、そのような演算は行われないままコンセント装置が使用されてしまうのが現状である。
【０００５】
したがって、本発明により解決すべき課題は、一般ユーザが上記面倒で難しい演算をコンセント装置へのプラグ差込口へプラグ差込みごとに行う必要をなくし、過電流状態を容易に面倒を伴うことなく、確実に防止可能とすることである。
【課題を解決するための手段】
【０００６】
本発明によるコンセント装置は、複数のプラグ差込口を備えたコンセント装置であって、各プラグ差込口に差し込んだプラグに内蔵の無線タグと通信して各無線タグが記憶するデータの読み取りが可能なタグリーダーと、これらタグリーダーの出力から過電流を演算し、その演算から上記プラグへの電源供給路を制御する信号を出力するプログラマブルコントローラ部と、上記プログラマブルコントローラ部からの制御出力により上記プラグへの電源供給またはその供給の遮断を行う電源供給遮断部と、を備えたことを特徴とする。
【０００７】
本発明では、一般ユーザがプラグ差込口にプラグを差し込んだ場合、コンセント装置が過電流状態となるのであれば、自動的にプラグには電流が供給されずに済むので、一般ユーザは、プラグ差込口にプラグを差し込んだ場合、コンセント装置が過電流状態となるかどうかの面倒で難しい演算を行う必要がなく、過電流状態を確実に防止することができる。
【０００８】
本発明において、好ましい態様は、上記プログラマブルコントローラ部は、プラグ差込口にプラグが差し込まれていないときは、当該プラグへの電源供給を遮断状態とするよう電源供給遮断部を制御することである。
【０００９】
本発明において、好ましい態様は、上記各プラグ差込口への電源供給状態を表示する表示部を備え、上記プログラマブルコントローラ部は、プラグへの電源供給路の状態が遮断側および供給側のいずれの側にあるかを上記表示部に表示させる制御を行うようになっていることである。
【発明の効果】
【００１０】
本発明によれば、一般ユーザが面倒で難しい過電流演算をコンセント装置へのプラグ差込口へプラグ差込みごとに行う必要なく、過電流状態を確実に防止することができる。
【図面の簡単な説明】
【００１１】
【図１】図１は本発明の実施の形態にかかり、プラグと、このプラグが接続されるコンセント装置との構成を模式的に示す図である。
【図２】図２は図１のコンセント装置の回路構成を示す図である。
【図３】図３は図２のコンセント装置本体における制御部内の回路構成を示す図である。
【発明を実施するための形態】
【００１２】
以下、添付した図面を参照して、本発明の実施の形態に係るコンセント装置を説明する。
【００１３】
図１を参照してコンセント装置の概略構成を説明する。図１において、１ａ−１ｃは機器プラグである。これら機器プラグ１ａ−１ｃはそれぞれ電気機器３ａ−３ｃのプラグである。５は、コンセント装置本体５ａと、コンセント装置プラグ５ｂとを含み、そのコンセント装置本体５ａに複数のプラグ差込口７ａ−７ｃを備えたコンセント装置である。
【００１４】
各機器プラグ１ａ−１ｃには無線タグ９ａ−９ｃがそれぞれ個別に内蔵される。無線タグ９ａ−９ｃは、それぞれ個別に、各電気機器３ａ−３ｃの定格電圧および定格電流、等の機器データと共に、ＩＤ情報を記憶している。無線タグ９ａ−９ｃはＩＣタグ、電子タグとも称される。無線タグ９ａ−９ｃは印刷や貼り付け等の適宜手段により各プラグ１ａ−１ｃに設けられている。無線タグ９ａ−９ｃは、図示を略するが、主に、電気機器やＩＤ情報等のデータを記憶しているＩＣチップと、信号を送受信するタグアンテナとを、ペアにして構成されている。
【００１５】
コンセント装置５のコンセント装置本体５ａは、内部に、タグリーダー１１ａ−１１ｃと、プログラマブルコントローラ部１５ａと、電源供給遮断部１５ｂと、を有する。タグリーダー１１ａ−１１ｃはそれぞれプログラマブルコントローラ部１５ａに接続されている。
【００１６】
タグリーダー１１ａ−１１ｃは、各プラグ差込口７ａ−７ｃに差し込んだ機器プラグ１ａ−１ｃに内蔵の無線タグ９ａ−９ｃと個別に対応して通信して無線タグ９ａ−９ｃにおける上記データを読み取ってプログラマブルコントローラ部１５ａに出力する。
【００１７】
プログラマブルコントローラ部１５ａは、これらタグリーダー１１ａ−１１ｃの出力からコンセント装置５に流れる電流が過電流であるか否かを演算し、各プラグ差込口７ａ−７ｃに接続のプラグ１ａ−１ｃに対する電源供給を制御する。
【００１８】
電源供給遮断部１５ｂは、プログラマブルコントローラ部１５ａからの制御出力により上記プラグ１ａ−１ｃへの電源供給またはその供給の遮断を行うようになっている。
【００１９】
コンセント装置本体５ａのプラグ差込口７ａ−７ｃにプラグ１ａ−１ｃを差し込むと、プラグ１ａ−１ｃに内蔵してある無線タグ９ａ−９ｃには、タグリーダー１１ａ−１１ｃからの電波による電磁誘導により起電力が発生し、この起電力によって無線タグ内回路が働き、タグリーダー１１ａ−１１ｃ側とデータを交換し、その後、あらかじめ記憶してあるＩＤ情報および電気機器３ａ−３ｃの定格電圧や定格電流等の機器データをタグリーダー１１ａ−１１ｃに送信するようになっている。無線タグ９ａ−９ｃは実施の形態ではタグリーダー１１ａ−１１ｃ側から起電力を供給されるようになっているが、無線タグ９ａ−９ｃ自体に電池等を内蔵することもできる。
【００２０】
図２を参照して、プログラマブルコントローラ部１５ａを含めてコンセント装置本体５ａの内部回路の構成を概略的に説明する。
【００２１】
プログラマブルコントローラ部１５ａは、主にＣＰＵからなり、タグリーダー１１ａ−１１ｃ出力によりプラグ差込口７ａ−７ｃにプラグ１ａ−１ｃが差し込まれているか否かを検出し、これに対応して電源供給遮断部１５ｂを制御してプラグ差込口７ａ−７ｃへの電源供給路を電源供給側または遮断側に制御する。
【００２２】
電源供給遮断部１５ｂは、プラグ差込口７ａ−７ｃの一方の電源配線１７ａ−１７ｃそれぞれに直列に接続されたスイッチＳＷａ−ＳＷｃを含む。これら電源配線１７ａ−１７ｃはコンセント装置プラグ５ｂ側で共通に接続される。プラグ差込口７ａ−７ｃの他方の電源配線１９は共通に接続されている。電源供給遮断部１５ｂは、プログラマブルコントローラ部１５ａからの制御信号に応答してスイッチＳＷａ−ＳＷｃをオン側またはオフ側に駆動制御してプラグ差込口７ａ−７ｃへの電源供給路を供給または遮断側に制御する。
【００２３】
図３を参照して、プログラマブルコントローラ部１５ａの構成をさらに詳細に説明する。
【００２４】
プログラマブルコントローラ部１５ａは、電流演算部２１、判定部２３、スイッチオンオフ選択部２５、記憶部２７、スイッチ駆動部２９ａ−２９ｃ、および制御部３１を有する。これらはハードウエア的なブロック構成で示すが、ＣＰＵで構成し、プログラムソフトウエアで構成することができる。
【００２５】
タグリーダー１１ａ−１１ｃは、無線タグ９ａ−９ｃと通信して、機器プラグ１ａ−１ｃそれぞれの電気機器の定格電流のデータを読み取ると共に、その読み取ったデータを電流演算部２１に出力する。
【００２６】
電流演算部２１は、タグリーダー１１ａ−１１ｃが読み取った定格電流値を演算する。この定格電流値は、記憶部２７に記憶される。実施の形態では例えばプラグ差込口７ａ−７ｃのうち、プラグ差込口７ｂ，７ｃにはすでに機器プラグ１ｂ，１ｃが差し込まれ、スイッチＳＷｂ，ＳＷｃはオンして電気機器３ｂ，３ｃには電源が供給されていると仮定する。そして、機器プラグ１ａがプラグ差込口７ａに差し込まれる。判定部２３は、電流演算部２１により合計演算された電流値が記憶部２７に記憶しているコンセント装置５の定格電流以下であるか否かを判定する。記憶部２７は、コンセント装置５の定格電流を記憶していると共に、タグリーダー１１ａ−１１ｃが読み取った電気機器側の定格電流を記憶することができるようになっている。ただし、図３では、図解の都合で、タグリーダー１１ａ−１１ｃと記憶部２７とを直接接続し、上記電気機器側の定格電流の記憶経路を示しているが、制御部３１により、タグリーダー１１ａ−１１ｃの出力は記憶部２７に記憶されるようになっている。
【００２７】
スイッチオンオフ選択部２５は、すでに、スイッチＳＷｂ，ＳＷｃをオン側に選択している。この選択状態で、スイッチオンオフ選択部２５は、判定部２３から過電流で無いとする判定結果が与えられた場合は、スイッチＳＷａをオン側にする選択を行い、判定部２３から過電流であるとする判定結果が与えられた場合は、スイッチＳＷａをオフ側に維持する選択を行う。判定部２３は上記判定のため、記憶部２７に記憶されているデータを参照する。
【００２８】
スイッチ駆動部２９ｂ，２９ｃは、スイッチオンオフ選択部２５からのスイッチオン選択信号により、スイッチＳＷｂ，ＳＷｃをオン側に駆動している。スイッチ駆動部２９ａは、スイッチオンオフ選択部２５からスイッチオン選択信号が与えられると、スイッチＳＷａをオン側に駆動し、スイッチオンオフ選択部２５からスイッチオフ信号が与えられると、スイッチＳＷａをオフ状態に維持する。
【００２９】
以上のように本実施の形態では、プラグ１ａ−１ｃに内蔵の無線タグ９ａ−９ｃと通信可能なタグリーダー１１ａ−１１ｃと、これらタグリーダー１１ａ−１１ｃの出力から過電流を演算して各プラグ１ａ−１ｃに対する電源供給を制御するプログラマブルコントローラ部１５ａと、プログラマブルコントローラ部１５ａにより制御されて、プラグ差込口７ａ−７ｃそれぞれへの電源供給と電源供給遮断とを行う電源供給遮断部１５ｂと、を備える。
【００３０】
各タグリーダー１１ａ−１１ｃは、各プラグ１ａ−１ｃに内蔵の無線タグ９ａ−９ｃから機器データを得る。
【００３１】
プログラマブルコントローラ部１５ａは、プラグ差込口７ａ−７ｃにプラグ１ａ−１ｃが差し込まれたときには、そのプラグ差込口７ａ−７ｃのタグリーダー１１ａ−１１ｃの読み取り出力からコンセント過電流の演算を行い、この演算に対応した制御信号を電源供給遮断部１５ｂに出力する。
【００３２】
プログラマブルコントローラ部１５ａは、上記演算の結果、コンセント過電流で無いときは、電源供給遮断部１５ｂに、プラグ１ａ−１ｃに対し電源供給状態とする制御出力を出力する一方、コンセント過電流であるときは、電源供給を遮断状態とする制御出力を出力する。
【００３３】
これにより、実施の形態では、プラグ差込口７ａ−７ｃにプラグ１ａ−１ｃを差し込んだ場合、コンセント装置５が過電流状態となるのであれば、自動的にプラグ１ａ−１ｃには電流が供給されずに済むので、一般ユーザは、プラグ差込口７ａ−７ｃにプラグ１ａ−１ｃを差し込んだ場合、コンセント装置５が過電流状態となるかどうかの面倒で難しい演算を行う必要がなく、過電流状態を確実に防止することができる。
【符号の説明】
【００３４】
１ａ−１ｃ  機器プラグ
９ａ−９ｃ  無線タグ
３ａ−３ｃ  電気機器
５  コンセント装置
５ａ  コンセント装置本体
７ａ−７ｃ  プラグ差込口
１１ａ−１１ｃ  タグリーダー
１５ａ  プログラマブルコントローラ部
１５ｂ  電源供給遮断部
５ｂ  コンセント装置プラグ
【図１】
2011009046.tif 000003
【図２】
2011009046.tif 000004
【図３】
2011009046.tif 000005